(57)【要約】  本発明は、輸送コンテナ（４０）用の緩衝ライニング（１０）に関係し、ライニングは、コンテナ（４０）の横側壁（３８）に沿って配置され、そして、その下部エッジ（１１）から事前に規定された距離（３０）で、キャリア（４２）から横方向内部に伸びる少なくとも１つの緩衝エレメント（２０，２２，２４，２６）を支持するように適合されるキャリア（４２）を含む。
2014521564.tif 000002
【特許請求の範囲】
【請求項１】
輸送コンテナ用の緩衝ライニングであって：
−コンテナ（４０）の横側壁（３８）に沿って配置されるキャリア（４２）であり、そしてその下部エッジ（１１）から事前に規定された距離（３０）で、キャリア（４２）から横方向内部に伸びる少なくとも１つの緩衝エレメント（２０，２２，２４，２６）を支持するように適合される、該キャリア（４２）、
を含んでなる、上記緩衝ライニング。
【請求項２】
一番下の緩衝エレメント（２６）とキャリア（４２）の下部エッジ（１１）との間の距離（３０）が、少なくとも５ｍｍである、請求項１に記載の緩衝ライニング。
【請求項３】
一番下の緩衝エレメント（２６）と下部エッジ（１１）との間の距離（３０）は、輸送コンテナ（４０）に配列される輸送アイテム（３２）の膨出部分（３６）を収容するように選定される、請求項１又は２に記載の緩衝ライニング。
【請求項４】
緩衝エレメント（２０，２２，２４，２６）は、キャリア（４２）の下部エッジ（１１）と実質的に平行に伸びる少なくとも１つの波状部を含む、請求項１〜３のいずれか１項に記載の緩衝ライニング。
【請求項５】
キャリア（４２）が、キャリア（４２）の下部エッジ（１１）から異なる距離で、キャリア（４２）に沿って共に伸びる複数の実質的に平行に配向した緩衝波状部（２０，２２，２４，２６）を含む、請求項４に記載の緩衝ライニング。
【請求項６】
少なくとも１つの緩衝エレメント（２０，２２，２４，２６）は、キャリア（４２）から突出し、そして１ｍｍ〜４ｍｍ、好ましくは２ｍｍ〜３ｍｍの厚さを有するゴム材料を含む、請求項１〜５のいずれか１項に記載の緩衝ライニング。
【請求項７】
キャリア（４２）は、ブラスチック材料でできている、請求項１〜６のいずれか１項に記載の緩衝ライニング。
【請求項８】
キャリア（４２）及び少なくとも１つの緩衝エレメント（２０，２２，２４，２６）は、一体成形される、請求項１〜７のいずれか１項に記載の緩衝ライニング。
【請求項９】
少なくとも１つの緩衝エレメント（２０，２２，２４，２６）は、単一及び／又は二重配置の様々なフルートサイズの段ボール様構造を含む、請求項１〜８のいずれか１項に記載の緩衝ライニング。
【請求項１０】
輸送コンテナ（４０）の少なくとも２つの隣接配置した側壁（３８）と、サイズ及び形状において対応する、少なくとも２つのセグメント（１２，１４，１６，１８）を有する、請求項１〜９のいずれか１項に記載の緩衝ライニング。
【請求項１１】
セグメント（１２，１４，１６，１８）は、折り目付け線又は折り目線（１３）によって分けられる、請求項１０に記載の緩衝ライニング。
【請求項１２】
実質的に平らな形状の底部（２８）、少なくとも４つの横側壁（１２，１４，１６，１８）、及び少なくとも１つの横側壁（１２，１４，１６，１８）の内面に配置された、請求項１〜１１のいずれか１項に記載の少なくとも１つの緩衝ライニング（１０）を有する、実質的に矩形形状の輸送コンテナ。
【請求項１３】
緩衝ライニング（１０）は、輸送コンテナの内側に固着されないで配置される、請求項１２に記載の輸送コンテナ。
【請求項１４】
請求項１２又は１３に記載の輸送コンテナであって、そこに配列される複数のカートリッジ（３２）を有し、該カートリッジ（３２）は、硝子体を有しそして少なくとも部分的に薬物で充填されている、上記輸送コンテナ。
【発明の詳細な説明】
【技術分野】
【０００１】
本発明は、ガラス質アイテム、特に液体薬剤で充填されるカートリッジ用の硝子質アイテム（vitreous items）の輸送のために特に適用される輸送コンテナ用の緩衝ライニングに関する。
【背景技術】
【０００２】
液体薬剤のような特定の医薬品は、薬物に不活性な包装材による包装を必要とする。既定の衛生基準に対処するために、例えばガラス製の硝子体（vitreous body）が、液体薬剤の包装用に一般に使用される。このような硝子体への薬剤の瓶詰の前又は中に、一般にチューブ状形態のボディは、信頼性のある、安全でそして無害な方法で輸送される必要がある。特に、大量生産プロセスのためには、このようなガラス質包装材ユニットの亀裂及び崩壊は防止される必要がある。
【０００３】
さもなければ、硝子体又は充填されたカートリッジのスタック全体は、１つの損傷又は亀裂した硝子体又はカートリッジによって汚染され得る。
【０００４】
特許文献１は、底部及びその側壁に内部ライニングを有するプラスチック製輸送コンテナを既に開示している。そこでは、ライニングは液体吸収フォームからなっている。
【０００５】
特に、図１の略図に図示された硝子体３２では、輸送コンテナ４０の底壁２８上に直立に配向して配置されたボディ又はカートリッジ３２が、お互いに、特に硝子体３２の近位端に位置する膨出部分３６と相互に隣接するという問題を生じ得る。密に詰め込んだ場合、アイテム又はボディ３２は、その膨出部分３６によって互いに直接接触にある。更に、輸送コンテナ４０の堅い側壁３８の近くに配置されたアイテム３２の膨出部分３６は、該側壁部３８に接近又は直接接触する。
【０００６】
特に、コンテナ４０が避けられない側面の衝突影響９を受けるようになる場合は、機械的衝撃はアイテム３２の配置を横断して拡がり得る。密に詰め込んだ配置の故に、そして近位の膨出部分３６の接触構造の故に、外部にかけられた衝撃９は、ガラス質アイテム３２の配置を横断して大きく拡がり、そして伝播し得る。結果として、単一又はいくつかのアイテム３２は、横側壁３８を介して誘発又は伝達されたこのような外部衝撃９に応じて、破砕又は亀裂を被り易くなり得る。
【先行技術文献】
【特許文献】
【０００７】
【特許文献１】ドイツ特許ＤＥ  １０３  ３９  ８３０Ａ１
【発明の概要】
【発明が解決しようとする課題】
【０００８】
従って、本発明の目的は、硝子体の輸送用に特に設計され、そして改良した緩衝性質を備える改良した大量輸送コンテナを提供することである。改良した輸送構造によって、そこに配列されたアイテムの破砕と損傷の可能性とその程度を大きく低減する必要がある。更に、外部から適用された機械的衝撃に対する改良した防御法は、そこに収容されたアイテムに対して達成される必要がある。改良した防御法にもかかわらず、コンテナは更にそこに収容されたアイテムの高い充填密度を提供する必要がある。
【課題を解決するための手段】
【０００９】
本発明は、輸送コンテナ用の緩衝ライニングを提供する。ライニングは、コンテナの横側壁に沿って配置され、そしてその下部エッジから事前に規定された距離でキャリアから横方向内部に伸びる少なくとも１つの緩衝エレメントを支持するように適合されるキャリアを含む。キャリアは、コンテナの側壁の内面に位置するように適用され、そして設計される。少なくとも１つの緩衝エレメントは、好ましい平らな形のキャリアから内部に、従って、コンテナの側壁から離れ、そこに収容されるアイテムの横側壁の方に突き出すように設計される。少なくとも１つの緩衝エレメントとキャリアの下部エッジとの間の事前に規定された距離は、ゼロより大きい。キャリアの下部エッジから緩衝エレメントの距離がゼロでないことによって、コンテナの底部の近くに側面のレセプタクルを形成及び提供できる。
【００１０】
このように、キャリアの下部エッジは、そこに取り付けられた場合、輸送コンテナの底部によって一般的に支持されるので、側面のレセプタクル又は凹部は、コンテナの底部とコンテナの側壁を覆う緩衝ライニングとの間に転移をもたらすことができる。
【００１１】
緩衝エレメントは、コンテナの横側壁と該コンテナで輸送されるアイテムの横側壁との間の機械的衝撃を伝達するために特に適用される。少なくとも１つの緩衝エレメントがキャリアの下部エッジから事前に規定された距離に配置され、そしてキャリアがコンテナの底壁上の下部エッジに位置決めされるので、側面のギャップ又は凹部は、少なくとも１つの緩衝エレメント、キャリアとコンテナの底壁との間に形成される。
【００１２】
該側面の凹部は、ガラス質アイテム、例えばカートリッジの横方向又は半径方向の外側に伸びる又は膨出部分を受入れるために設計され、そして適合される。実際には、少なくとも１つの横方向内部に突き出す緩衝エレメントによって、ガラス質アイテムは、キャリア又はコンテナの横側壁と硝子体の膨出部分の間のかなりの横方向及び／又は垂直方向のギャップに留まるような方法で輸送コンテナに位置決めできる。少なくとも１つの緩衝エレメントによって、ガラス質アイテムは、これらの隆起し、従ってこれらの下部又は近接エッジが、輸送コンテナの横側壁と衝撃伝播接触をもはやしないような構造の輸送コンテナにのみに収容できる。
【００１３】
結果として、輸送コンテナの避けられない機械的衝突又は個別の衝撃事象は、ここに配列されたアイテムの横側壁部の緩衝エレメントによってのみ伝達される。少なくとも１つの緩衝エレメントによって、ガラス質アイテムの横方向に伸びる膨出部分とコンテナのかなり堅い側壁との間の直接接触構造をなくすことができ、そして、コンテナの横側壁とガラスアイテムのかなり壊れ易く又は亀裂し易い膨出部分との間の直接衝撃伝播は、もはや発生しない。
【００１４】
好ましい態様によると、一番下の緩衝エレメントとキャリアの下部エッジとの間の距離は、少なくとも５ｍｍである。
【００１５】
好ましくは、一番下の緩衝エレメントとキャリアの下部エッジとの間の距離は、輸送コンテナに、好ましくは密に詰め込んだ構造で配列及び配置された輸送アイテムの膨出部分に適応するように選定される。輸送アイテムの膨出部分はガラス質アイテムの製造プロセスで生じる。従って、膨出部分は一般的に硝子体の溶融しそして半径方向に厚くなったエッジを含む。
【００１６】
一番下の緩衝エレメントの縦方向の位置と共に横方向の厚さは、硝子体の溶融又は膨出エッジが、底壁、最下部緩衝エレメントとキャリアとの間に形成された最下部ギャップに位置付けできるように設計される。
【００１７】
その他の好ましい実施態様によると、少なくとも１つの緩衝エレメントは、少なくとも１つの波状部又はキャリアの下部エッジに実質的に平行に伸びる波型構造を含む。波状部によって、緩衝エレメントと隣接配置した輸送アイテムとの間の接触個所の縦方向の位置は変化し得る。このように、輸送コンテナの側壁への事故である機械的衝撃又は衝突は、異なる縦方向の位置で複数の隣接配置した輸送アイテムに分散又は消散し得る。従って、お互いに対して隣接配置した輸送アイテムの支持又は隣接位置は、波状部の伝播の方向に対して少なくとも垂直の方向に変化し得る。
【００１８】
更に、波状部のある緩衝エレメントはまた、緩衝ライニング自体の機械的安定性を強化し得る。波状部し、そして横方向内部に突き出す波状部構造によって、緩衝ライニングの比較的薄いキャリアの剛性を有利に増加でき、それによってライニングの一般的取扱いを容易にし、そして改善する。
【００１９】
更に好ましい態様では、キャリアは、キャリアの下部エッジから様々な距離でキャリアに沿って同時伸長又は同時伝播する複数の実質的に平行に配向した緩衝波状部を含む。お互いの間及び又はキャリアの下部エッジの伸長に対して緩衝波状部の平行な配向を加える代わりに、緩衝波状部がキャリアの下部エッジに対して事前に規定された角度で伸長することも考えられる。
【００２０】
少なくとも１つの波状部の振幅は、好ましくはその伝播の方向に実質的に垂直に伸びる。従って、少なくとも１つの波状部のプロファイルは、正弦波形又は波形と類似し得る。好ましくは、最外部波状部は、隣接に位置する及び／又は一緒に伝播する波状部の間の距離と実質的に同じ又は超える距離によってキャリアの下部エッジから分離される。
【００２１】
その他の好ましい実施態様によると、少なくとも１つの緩衝エレメントは、キャリアから突出し、そして１ｍｍから４ｍｍ、好ましくは２ｍｍと３ｍｍの間の厚さを有するゴム材料を含む。弾性的に変形可能なゴム材料によって、緩衝エレメントは作られるのが好ましく、輸送コンテナの横側壁に外部から衝突する機械的衝撃は、効果的に吸収又は少なくとも減衰する。ゴム材料に追加又はその代わりとして、またエラストマー又は熱可塑性材料のようなプラスチック材料は、少なくとも１つの緩衝エレメントを提供するために使用できる。
【００２２】
更なる好ましい実施態様によると、キャリアはプラスチック材料でできている又はプラスチック材料を含む。例えば、キャリアは熱可塑性又はエラストマー材料を含み、そしてそこに取り付けられた少なくとも１つの緩衝エレメント用の平坦で均一な形状のキャリア構造を含み得る。キャリアは、輸送コンテナの周辺の側壁セグメントのサイズと形状に実質的に対応する形を含み得る。
【００２３】
更に、全体の緩衝ライニングを、輸送コンテナに取り外し可能に配置される挿入物として設計できる。緩衝ライニングは、輸送コンテナの比較的堅い側壁セグメントと横方向に配置したガラス質アイテムとの間に配置される保護又は緩衝構造として役立ち得る。
【００２４】
更なるその他の実施態様では、キャリア及び少なくとも１つの緩衝エレメントは一体成形される。従って、キャリア及び緩衝エレメントは、同じ材料を含み得て、そしてプラスチック又はエラストマー部材として製造し得る。更に、緩衝エレメントが、例えばプラスチックキャリア及びそこにしっかりと結合したエラストマー又はゴムベース緩衝エレメントを含んでなる２つ又はそれ以上の成分の射出成形構造として製造されることが考えられる。
【００２５】
弾性材料で出来ている少なくとも１つの緩衝エレメントは、固体そして均一な構造を含み得る。
【００２６】
更なる実施態様では、少なくとも１つの緩衝エレメントは、単一及び／又は二重配置の様々なフルートサイズ（flute size）の段ボール様構造を含む。従って、緩衝エレメントは中間に波形フルートを有する１つ又はいくつかの層を含み得る。一般に、「Ａ」、「Ｂ」、「Ｃ」、「Ｅ」及び「Ｆ」又はマイクロフルートのような多種多様なフルートサイズは、波形フルートとして一般に考えられる。更に、緩衝エレメントの段ボール様内部構造は、単一壁、従って単一及び／又は二重配置と類似する二重壁タイプがあり得る。緩衝エレメントは、紙ベース材料で作ることができるが、また、対応するように成形したプラスチック又はエラストマー材料も含み得る。
【００２７】
更にその他の好ましい実施態様では、緩衝ライニングは、輸送コンテナの少なくとも２つの隣接配置した横側壁とサイズ及び形状が対応する少なくとも２つのセグメントを含む。好ましくは、緩衝ライニングは、長方形輸送コンテナの内面側壁に及び／又は沿って配置された３つ又は４つものセグメントを含む。
【００２８】
それは、緩衝ライニングが、輸送コンテナの対応する横側壁とマッチ及び対応する様々なセグメントを分離又は区分するために、１つ又はいくつかの折り目付け線又は折り目線を含む場合に更に有益である。緩衝ライニングは全体として、ライニングキャリアの下部エッジに対して垂直に実質的に伸びる折り目付け線又は折り目線によって分離された４つ又はそれ以上の隣接配置したセグメントを有する細長いストライプ又はストリップを含み得る。適切に折り畳まれた場合、緩衝ライニングは、輸送コンテナの内面側壁構造と対応及びマッチし得る。これはその後輸送コンテナのかなり堅い側壁用の内面カバーとして役立ち得る。
【００２９】
輸送コンテナの構造によって、多くのライニングセグメントは変化し得る。一般に、コンテナ、特にその外周側壁構造が、三角形、五角形、六角形又はその他の多角形であることは考えられる。この場合、ライニングは対応する形及び形状を含む。
【００３０】
その他の独立した態様によると、本発明はまた、液体薬剤を充填又は充填された硝子体又はカートリッジのような多くの輸送アイテムを支えるための実質的に平らな形状の底部を有する実質的に矩形形状の輸送コンテナに関する。輸送コンテナは更に、底部の周辺枠組を形成する少なくとも４つの横側壁を有する。更に、輸送コンテナは上記に示したように少なくとも１つの緩衝ライニングを装備される。緩衝ライニングは少なくとも横側壁の内面に配置される。
【００３１】
ここで、これは、緩衝ライニングが輸送コンテナの内側に固着されない又はゆるやかに配置される場合に、更に有益である。このように、緩衝ライニングと輸送コンテナとの解除及び分解を容易にもたらすことができる。特に、空の輸送コンテナがお互いの上部に積層されるときに、緩衝ライニングは、空の輸送コンテナが互いに積層されるときに損傷を受けないために、取外されそしてほかの場所に保管又は移動できる。
【００３２】
その他の実施態様によると、輸送コンテナは、そこに配列された複数のカートリッジを有し、ここで、各カートリッジは硝子体を有し、そして、例えば注射によって投与される薬物で少なくとも一部が充填されている。
【００３３】
本明細書で使用する用語「薬物」又は「薬剤」は、好ましくは少なくとも１つの薬学的に活性な化合物を含む医薬製剤を意味し、
ここで１つの実施態様において、薬学的に活性な化合物は、最大１５００Ｄａまでの分子量を有し、及び／又は、ペプチド、蛋白質、多糖類、ワクチン、ＤＮＡ、ＲＮＡ、抗体、酵素、抗体、ホルモン、若しくはオリゴヌクレオチド、又は上記の薬学的に活性な化合物の混合物であり、
ここで更なる実施態様において、薬学的に活性な化合物は、糖尿病、又は糖尿病性網膜症などの糖尿病関連の合併症、深部静脈又は肺血栓塞栓症などの血栓塞栓症、急性冠症候群（ＡＣＳ）、狭心症、心筋梗塞、癌、黄斑変性症、炎症、枯草熱、アテローム性動脈硬化症、及び／又は、関節リウマチの治療、及び／又は、予防に有用であり、
ここで更なる実施態様において、薬学的に活性な化合物は、糖尿病、又は糖尿病性網膜症などの糖尿病に関連する合併症の治療、及び／又は、予防のための、少なくとも１つのペプチドを含み、
ここで更なる実施態様において、薬学的に活性な化合物は、少なくとも１つのヒトインスリン、又はヒトインスリン類似体若しくは誘導体、グルカゴン様ペプチド（ＧＬＰ−１）、又はその類似体若しくは誘導体、又はエキセンジン−３又はエキセンジン−４、若しくはエキセンジン−３又はエキセンジン−４の類似体若しくは誘導体を含む。
【００３４】
インスリン類似体は、例えば、Ｇｌｙ（Ａ２１）、Ａｒｇ（Ｂ３１）、Ａｒｇ（Ｂ３２）ヒトインスリン；Ｌｙｓ（Ｂ３）、Ｇｌｕ（Ｂ２９）ヒトインスリン；Ｌｙｓ（Ｂ２８）、Ｐｒｏ（Ｂ２９）ヒトインスリン；Ａｓｐ（Ｂ２８）ヒトインスリン；ヒトインスリンであり、ここで、Ｂ２８位におけるプロリンは、Ａｓｐ、Ｌｙｓ、Ｌｅｕ、Ｖａｌ又はＡｌａで代替され、そして、Ｂ２９位において、Ｌｙｓは、Ｐｒｏで代替されてもよく；Ａｌａ（Ｂ２６）ヒトインスリン；Ｄｅｓ（Ｂ２８−Ｂ３０）ヒトインスリン；Ｄｅｓ（Ｂ２７）ヒトインスリン、及びＤｅｓ（Ｂ３０）ヒトインスリンである。
【００３５】
インスリン誘導体は、例えば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイル ヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、及びＢ２９−Ｎ−（ω−カルボキシヘプタデカノイル）ヒトインスリンである。
【００３６】
エキセンジン−４は、例えば、エキセンジン−４（１−３９）、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドを意味する。
【００３７】
エキセンジン−４誘導体は、例えば、以下の化合物リスト：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−４（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；又は
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
ここで、基−Ｌｙｓ６−ＮＨ２は、エキセンジン−４誘導体のＣ−末端と連結してもよく；
【００３８】
又は以下の配列のエキセンジン−４誘導体
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８  Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８  エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５，ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
又は前述のいずれかのエキセンジン−４誘導体の薬学的に許容可能な塩若しくは溶媒和物；
から選択される。
【００３９】
ホルモンは、例えば、ゴナドトロピン(ホリトロピン、ルトロピン、コリオンゴナドトロピン、メノトロピン)、ソマトロピン (ソマトロピン)、デスモプレッシン、テルリプレッシン、ゴナドレリン、トリプトレリン、ロイプロレリン、ブセレリン、ナファレリン、ゴセレリンなどのRote Liste、２００８年版、５０章に表示されている脳下垂体ホルモン又は視床下部ホルモン又は規制活性ペプチド及びそれらのアンタゴニストである。
【００４０】
多糖類としては、例えば、グルコサミノグリカン、ヒアルロン酸、ヘパリン、低分子量ヘパリン、又は超低分子量ヘパリン若しくはその誘導体、又は硫酸化された、例えば、上記多糖類のポリ硫酸化形体、及び／又は、薬学的に許容可能なその塩がある。ポリ硫酸化低分子量ヘパリンの薬学的に許容可能な塩の例としては、エノキサパリンナトリウム塩がある。
【００４１】
抗体はまた、基本構造を分け合う免疫グロブリンとして知られる球状血漿蛋白質（〜１５０ｋＤａ）である。これらはアミノ酸残基に付加した糖鎖を有するので、これらは糖蛋白質である。各抗体の基本機能単位は、免疫グロブリン（Ｉｇ）モノマー（１ｌｇ単位のみを含む）であり、即ち、分泌型抗体はまた、ＩｇＡを備えるような２つのＩｇ単位を備える二量体、硬骨魚ＩｇＭのような４つのＩｇ単位を備える四量体、又は、哺乳類ＩｇＭのような５つのＩｇ単位を備える五量体であることができる。
【００４２】
Ｉｇモノマーは、システイン残基間のジスルフィド結合によって結合される、４つのポリペプチド鎖、２つの同単一鎖及び２つの同一軽鎖から成る「Ｙ」型分子である。各重鎖は約４４０のアミノ酸長で、各軽鎖は約２２０のアミノ酸長である。重及び軽各鎖は、これらの折畳みを安定化する鎖内ジスルフィド結合を含む。各鎖は、Ｉｇドメインと称される構造ドメインから構成される。これらのドメインは、約７０〜１１０のアミノ酸を含み、そしてそれらのサイズと機能によって各種カテゴリー（例えば可変又はＶ及び定常又はＣ）に分類される。これらは、２つのβシートが、保存システインとその他の荷電アミノ酸との間の相互作用によって一緒に保持された「サンドイッチ」形状を創る独特な免疫グロブリン折畳みを有する。
【００４３】
α、δ、ε、γ及びμで示される５タイプの哺乳類Ｉｇ重鎖がある。存在する重鎖のタイプは、抗体のイソタイプを規定し、これらの鎖は、それぞれＩｇＡ、ＩｇＤ、ＩｇＥ、ＩｇＧ及びＩｇＭで見られる。
【００４４】
相異なる重鎖は、サイズ及び組成が異なり、α及びγは約４５０のアミノ酸を。そしてδは約５００のアミノ酸を含むが、一方、μ及びεは約５５０のアミノ酸を有する。各重鎖は、定常領域（ＣＨ）及び可変領域（ＶＨ）の２つの領域を有する。１つの種では、定常領域は、同じイソタイプの抗体中で本質的に同一であるが、異なるイソタイプの抗体中では異なる。重鎖γ、α及びδは、３つの直列Ｉｇドメインからなる定常領域、及びたわみ性を付加するためのヒンジ領域を有し、重鎖μ及びεは、４つの免疫グロブリンドメインから成る定常領域を有する。重鎖の可変領域は、異なるＢ細胞によって生成された抗体で異なっているが、しかし、単一Ｂ細胞又はＢ細胞クローンによって生成されたすべての抗体では同一である。各重鎖の可変領域は約１１０のアミノ酸長があり、そして単一Ｉｇドメインから成っている。
【００４５】
哺乳類には、λ及びκで示された２つのタイプの免疫グロブリン軽鎖がある、軽鎖は、２つの一連のドメイン、即ち１つの定常領域（ＣＬ）及び１つの可変領域（ＶＬ）を有する。軽鎖の概略の長さは２１１から２１７アミノ酸である。各抗体は、常に同一である２つの軽鎖を含む、即ち、軽鎖κ又はλの１つのタイプのみが、哺乳類抗体毎に存在する。
【００４６】
すべての抗体の一般的構造はよく類似しているが、所定の抗体の特異な性質は、上記に詳しく示したように、可変（Ｖ）領域によって決定される。更に具体的には、可変ループ、３つの各軽鎖（ＶＬ）及び重鎖（ＶＨ）の３つは、抗原への結合、即ちその抗原特異性に関与する。これらのループは、相補性決定領域（ＣＤＲｓ）と称されている。ＶＨ及びＶＬ領域両方からのＣＤＲｓが抗原結合個所に寄与するので、最終抗原特異性を決定するのは、重と軽鎖の組合せであり、それぞれの単独ではない。
【００４７】
「抗体フラグメント」は。上記に規定したようにフラグメントに結合している少なくとも１つの抗原を含み、そして、フラグメントを派生する完全な抗体として本質的に同一機能及び特異性を示す。パパインを用いる制限蛋白質分解消化は、Ｉｇプロトタイプを３つのフラグメントに開裂する。それぞれ１つの全Ｌ鎖と約半分のＨ鎖を含む２つの同一アミノ末端フラグメントは、抗原結合フラグメント（Ｆａｂ）である。第三のフラグメントは、サイズは同一だが、これらの鎖間ジスルフィド結合を備える両重鎖の半分がカルボキシル末端を含む結晶形成フラグメント（Ｆｃ）である。Ｆｃは、炭水化物、補体結合及びＦｃＲ結合部位を含む。制限ペプシン消化は、Ｈ−Ｈ鎖間ジスルフィド結合を含み、Ｆａｂ断片及びヒンジ領域両方を含有する単一Ｆ（ａｂ′）２フラグメントを生じる。Ｆ（ａｂ′）２は、抗原結合用に二価である。Ｆ（ａｂ′）２のジスルフィド結合は、Ｆａｂ′を得るために開裂され得る。更に、重及び軽鎖の可変領域は、単鎖可変フラグメント（ｓｃＦｖ）を形成するために、一緒に融合され得る。
【００４８】
薬学的に許容される塩は、例えば、酸付加塩及び塩基性塩がある。酸付加塩としては、例えば、ＨＣｌ又はＨＢｒ塩がある。塩基性塩は、例えば、アルカリ又はアルカリ土類金属、例えば、Ｎａ＋、又は、Ｋ＋、又は、Ｃａ２＋から選択されるカチオン、又は、アンモニウムイオンＮ＋（Ｒ１）（Ｒ２）（Ｒ３）（Ｒ４）を有する塩であり、ここで、Ｒ１〜Ｒ４は互いに独立に、水素；場合により置換されるＣ１〜Ｃ６アルキル基、場合により置換されるＣ２〜Ｃ６アルケニル基、場合により置換されるＣ６〜Ｃ１０アリール基、又は場合により置換されるＣ６〜Ｃ１０ヘテロアリール基である。薬学的に許容される塩の更なる例は、“Remington’s Pharmaceutical Sciences”17編、Alfonso R.Gennaro（編集），Mark Publishing社，Easton, Pa., U.S.A., 1985 及び Encyclopedia of Pharmaceutical Technologyに記載されている。
【００４９】
薬学的に許容される溶媒和物としては、例えば、水和物がある。
【００５０】
更に当業者には明白であるが、様々な変更及び改変は、本発明の精神及び範囲内から逸脱することなく本発明で行われてよい。更に、添付請求項に使用したあらゆる引用符号は、本発明の範囲を制約しないと解釈されることは留意される。
【００５１】
本発明の好ましい実施態様は以下において図面を参照して詳細に記載される：
【図面の簡単な説明】
【００５２】
【図１】先行技術による輸送構造を図式的に図示する。
【図２】緩衝ライニングを装備した輸送コンテナの例証である。
【図３】輸送コンテナに挿入する前の緩衝ライニングの単独の斜視図を示す。
【図４】図２によるＡ−Ａに沿った緩衝ライニングの断面の例証である。
【図５】緩衝エレメントとして実装される段ボール様構造の様々なサンプルを示す。
【００５３】
詳細説明
輸送容器４０は、図１及び２に示したように、実質的に平らな形の底壁２８及び底壁２８の配向に対して実質的に垂直に伸びる側壁３８を含む。図１及び２は更に、このような輸送コンテナ４０で輸送されそして収容されるアイテム３２を示す。該アイテム３２は、例として硝子体、例えば透明ガラス製を含み、そして更に上部遠位端にビードキャップ３４を有する。上端と反対側に、硝子体３２は外側の横方向に伸びる膨出エッジ３６を含む。この膨出部分３６は、適切な溶融プロセスによって形成されるガラスシリンダ３２の製造プロセスの残余である。
【００５４】
更に図２に示したように、緩衝ライニング１０は、輸送容器４０の側壁３８の内部表面にほとんどすべて隣接する平坦で均一な形のキャリア４２を含む。緩衝ライニング１０は、更に、キャリア４２から内部に伸びそして突き出す多数の緩衝エレメント２０，２２，２４，２６を含む又は支持する。
【００５５】
緩衝エレメント２０，２２，２４，２６のいずれか１つは、水平方向、例えばキャリア４２の下部エッジ１１に実質的に平行に伸びそして伝播する波状部を含む。この下部エッジ１１によって、キャリア４２及び緩衝ライニング１０全体を、輸送コンテナ４０の底壁２８によって支持できる。従って、緩衝ライニング１０は、コンテナ４０の底壁２８上に垂直に配向して位置決めされ、その下部側部エッジ１１に立っている。
【００５６】
波状部２０，２２，２４，２６は、好ましくはキャリア４２にしっかりと取り付けられているので、波状部２６と下部エッジ１１との間、従って波状部２６と底壁２８との間は、事前に定義されたギャップ３０をもたらすことができる。底壁と一番下の波状部２６との間に事前に定義された距離３０を保持することによって、ガラス質アイテム３２の膨出部分３６用のそれぞれの横方向の凹部を、横側壁３８にもたらすことができる。
【００５７】
図２に図示したように、横方向の外側に伸びる膨出部分３６のためのこのようなレセプタクルは、最下部波状部２６、キャリア４２及び輸送コンテナ４０の底壁２８によって形成される。このように、ガラス質アイテム３２は、多数の緩衝エレメント２０，２２，２４，２６を備える側面の隣接部を確立することによってコンテナ４０に取り付けることできるが、一方、その横方向に伸びる膨出部分３６は、側壁３８又は緩衝ライニング１０のキャリア４２との接触を生じない。
【００５８】
輸送コンテナ４０の側壁３８に衝突する機械的衝突又は機械的衝撃９は、多くの緩衝エレメント２０，２２，２４，２６を横断して硝子体２２に対して横方向に伝播し得る。このように、横方向に伸びる膨出部分３６に作用する非常に大きな点負荷は効果的に回避でき、そして避けられない機械的負荷は、軸方向に、従って硝子体３２の実質的に円筒形の円周を横断して図２のスケッチの垂直方向に、スムーズにそして均一に分布できる。
【００５９】
図３に、フレーム様に配置した緩衝ライニング１０の斜視図を図示する。ここで、長方形又は実質的に二次形成したライニング１０は、４つのセグメント１２，１４，１６，１８を含み、ここでセグメント１２，１６及びセグメント１４，１８は、実質的に同じ形状を含む。折り畳まれずそして明確に図示されない緩衝ライニング１０は、様々なライニングセグメント１２，１４，１６，１８の下部エッジ１１に実質的に垂直に伸びる３つの折り目付け又は折り目線１３を含む。
【００６０】
折り目付け又は折り目線１３は、図３に示したような形態にそれぞれの折り畳みを容易に及び／又は画成するために、エンボス化、穿孔又はさもなければ構造的に弱めた線として設計し得る。緩衝ライニング１０の４つのセグメント１２，１４，１６，１８は、３つの折り目付け又は折り目線１３によって分けられ、一方セグメント１２，１４は、開口端１５で接続されないままである。このように、緩衝ライニング１０は、対応して成形した輸送コンテナ４０の内側に撓み易く配置でき、そして、このようなコンテナ４０の最終的生産又は形状の許容誤差を容易に相殺し得る。ライニング１０の記載し開放した構造はまた、輸送コンテナ４０から独立して、このようなライニング１０を、別々に収容及び輸送するためにも有益である。
【００６１】
緩衝ライニング用に閉鎖よりむしろ開口枠組構造を提供することによって、緩衝セグメント１２，１４，１６，１８の全表面及び輸送コンテナ４０のそれぞれの横側壁部３８にわたって比較的広範囲な隣接部を、効果的に提供できる。緩衝波状部２０，２２，２４，２６は、一般的に、隣接する折り畳み線１３又は自由端１５の間で様々なライニングセグメント１２，１４，１６，１８の全幅又は伸長に沿って伸びる。
【００６２】
緩衝エレメント２０，２２，２４，２６の波状部は、キャリア４２の下部エッジと平行に又は沿って伝播しそして伸びる。緩衝エレメントの波状部の振幅は、垂直の方向、従って下部エッジ１１に対して実質的に垂直に変化し、一方、キャリア４２の平面に対して法線方向における波状部２０，２２，２４，２６の厚さは実質的に一定である。
【００６３】
図４による断面Ａ−Ａに示されるように、波状部又は緩衝エレメント２０，２２，２４，２６の厚さは、キャリア４２の厚さのほぼ２倍の大きさである。しかしながら、緩衝エレメント２０，２２，２４，２６の形状寸法、数及び波状部間の間隔は、輸送コンテナ４０で輸送されるガラス質アイテム３２のサイズとタイプによって変化し得る。
【００６４】
かなり壊れやすいアイテム３２は、かなり大きな緩衝度を備える緩衝ライニングを提供されることが意図される。かなり丈夫なアイテム３２は、最大包装密度を提供するために最適化されたライニングによって輸送できる。
【００６５】
更に、図示した緩衝ライニングが、輸送容器に配列又は密に詰め込んだアイテムへの機械的衝撃の優れた緩衝度及び均一な分布を提供することは、注目される。また、緩衝ライニングはかなり薄く、このために輸送コンテナによって提供される利用可能な収容スペースにはほとんど影響しない。
【００６６】
図５は、様々な単一配置４４，４６，４８，５０と共に二重配置５２，５４，５６の異なるフルートサイズの様々な異なる段ボール様構造の最終的な例証である。例えば、波形構造４４はＦ−フルートに対応し、構造４６はＥ−フルートを表し、構造４８はＢ−フルートを表し、そして波形構造５０はＣ−フルートを参照する。
【００６７】
二重構造５２はＦＥ−フルートと類似し、構造５４はＥＢ−フルートの例証であり、そして構造５６はＢＣ−フルートを図式的に示す。段ボール様構造として設計する場合、緩衝エレメント２０，２２，２４，２６の波状部は、紙ベースファイバーボードを含み得る、又は、図５に示すような波形構造４４，４６，４８，５０，５２，５４、５６の１つ又はその組合せたものに類似する又は少なくとも部品に含まれるプラスチック材料を含み得る。
【００６８】
符号の説明
９：  機械的衝撃
１０：  ライニングアセンブリ
１１：  下部エッジ
１２：  ライニングセグメント
１３：  折り目付け線
１４：  ライニングセグメント
１５：  開口端
１６：  ライニングセグメント
１８：  ライニングセグメント
２０：  緩衝エレメント
２２：  緩衝エレメント
２４：  緩衝エレメント
２６：  緩衝エレメント
２８：  底壁
３０：  ギャップ
３２：  カートリッジ
３４：  ビードキャップ
３６：  膨出エッジ
３８：  側壁
４０：  輸送コンテナ
４２：  キャリア
４４：  段ボール様構造
４６：  段ボール様構造
４８：  段ボール様構造
５０：  段ボール様構造
５２：  段ボール様構造
５４：  段ボール様構造
５６：  段ボール様構造
【図１】
2014521564.tif 000003
【図２】
2014521564.tif 000004
【図３】
2014521564.tif 000005
【図４】
2014521564.tif 000006
【図５】
2014521564.tif 000007
【手続補正書】
【提出日】平成25年7月18日(2013.7.18)
【手続補正１】
【補正対象書類名】特許請求の範囲
【補正対象項目名】全文
【補正方法】変更
【補正の内容】
【特許請求の範囲】
【請求項１】
実質的に平らな形状の底部（２８）、少なくとも４つの横側壁（１２，１４，１６，１８）、及び少なくとも１つの横側壁（１２，１４，１６，１８）の内面に配置された少なくとも１つの緩衝ライニング（１０）を有する実質的に矩形形状の輸送コンテナであって、ここで緩衝ライニングは、
−コンテナ（４０）の少なくとも１つの横側壁（３８）に沿って配置されるキャリア（４２）であり、そして、その下部エッジ（１１）から事前に規定された距離（３０）で、キャリア（４２）から横方向内部に伸びる少なくとも１つの緩衝エレメント（２０，２２，２４，２６）を支持する、該キャリア（４２）を含んでなり、ここで緩衝エレメント（２０，２２，２４，２６）が、キャリア（４２）の下部エッジ（１１）と実質的に平行に伸びる少なくとも１つの波状部を含む、上記輸送コンテナ。
【請求項２】
一番下の緩衝エレメント（２６）とキャリア（４２）の下部エッジ（１１）との間の距離（３０）が、少なくとも５ｍｍである、請求項１に記載の輸送コンテナ。
【請求項３】
一番下の緩衝エレメント（２６）と下部エッジ（１１）との間の距離（３０）は、輸送コンテナ（４０）に配列される輸送アイテム（３２）の膨出部分（３６）を収容するように選定される、請求項１又は２に記載の輸送コンテナ。
【請求項４】
キャリア（４２）が、キャリア（４２）の下部エッジ（１１）から異なる距離で、キャリア（４２）に沿って共に伸びる複数の実質的に平行に配向した緩衝波状部（２０，２２，２４，２６）を含む、請求項１〜３のいずれか１項に記載の輸送コンテナ。
【請求項５】
少なくとも１つの緩衝エレメント（２０，２２，２４，２６）は、キャリア（４２）から突出し、そして１ｍｍ〜４ｍｍ、好ましくは２ｍｍ〜３ｍｍの厚さを有するゴム材料を含む、請求項１〜４のいずれか１項に記載の輸送コンテナ。
【請求項６】
キャリア（４２）は、ブラスチック材料でできている、請求項１〜５のいずれか１項に記載の輸送コンテナ。
【請求項７】
キャリア（４２）及び少なくとも１つの緩衝エレメント（２０，２２，２４，２６）は、一体成形される、請求項１〜６のいずれか１項に記載の輸送コンテナ。
【請求項８】
少なくとも１つの緩衝エレメント（２０，２２，２４，２６）は、単一及び／又は二重配置の様々なフルートサイズの段ボール様構造を含む、請求項１〜７のいずれか１項に記載の輸送コンテナ。
【請求項９】
輸送コンテナ（４０）の少なくとも２つの隣接配置した側壁（３８）と、サイズ及び形状において対応する、少なくとも２つのセグメント（１２，１４，１６，１８）を有する、請求項１〜８のいずれか１項に記載の輸送コンテナ。
【請求項１０】
セグメント（１２，１４，１６，１８）は、折り目付け線又は折り目線（１３）によって分けられる、請求項９に記載の輸送コンテナ。
【請求項１１】
緩衝ライニング（１０）は、輸送コンテナの内側に固着されないで配置される、請求項１〜１０のいずれか１項に記載の輸送コンテナ。
【請求項１２】
請求項１〜１１のいずれか１項に記載の輸送コンテナであって、そこに配列された複数のカートリッジ（３２）を有し、該カートリッジ（３２）は硝子体を有し、そして少なくとも部分的に薬物で充填されている、上記輸送コンテナ。
【国際調査報告】
2014521564.tif 000008
2014521564.tif 000009